(57)【要約】【課題】目標温度と空調対象空間の温度とが乖離しないように目標温度を空間の温度の変動に応じて変化させことができる空調制御システム及び空調制御装置を提供することにある。【解決手段】空調制御装置１は、空調対象の空間の温度を上昇又は下降の一方向のみ制御可能な空調装置３に目標温度を設定するもので、空間の温度を温度センサ８から取得する温度情報取得部１２と、入力装置を構成する個人端末４から利用者の要望を取得する要望情報取得部１１ａを機能として有するサーバ１１と、要望情報に基づいて目標温度を決定する合意形成を行う制御計画生成部１３とを備えている。制御計画生成部１３は、空間の温度が空調装置３の制御方向に目標温度を超えている場合に、前記空間の温度に対して前記目標温度を空調装置の制御方向とは逆側で空間の温度方向に近づけるように所定値変化させて補正する。【選択図】図１
2008075993.tif 000002
【特許請求の範囲】
【請求項１】
空調対象の空間の温度を上昇又は下降の一方向のみ制御可能な空調装置と、該空調装置に目標温度を設定する空調制御装置と、前記空間に存在する利用者から要望を入力する入力装置とを備え、
前記空調制御装置は、前記空間の温度を温度情報として取得する温度情報取得手段と、前記入力装置から利用者の要望を取得する要望情報取得手段と、前記要望情報から前記目標温度を決定する合意形成を行う制御計画生成部とを備え、
前記制御計画生成部は、前記空間の温度が前記空調装置の制御方向に前記目標温度を超えている場合に、前記空間の温度に対して前記目標温度を前記空調装置の制御方向とは逆側で空間の温度方向に近づけるように所定値変化させて補正することを特徴とする空調制御システム。
【請求項２】
前記制御計画生成部は、システム稼働開始時に前記空間の温度が目標温度より制御方向に対して逆側にある場合には、目標温度に達した後に合意形成を開始することを特徴とする請求項１記載の空調制御システム。
【請求項３】
運転状況を前記利用者に提示する提示手段を備え、前記空調制御装置は、前記提示手段により合意形成処理中でないことを知らせるフィードバック部を備えていることを特徴とする請求項１又は２記載の空調制御システム。
【請求項４】
空調対象の空間の温度を温度情報として取得する温度情報として取得する温度情報取得手段と、利用者の空調状態に対する要望情報を取得する要望情報取得手段と、該要望情報取得手段で取得した要望情報に基づいて制御対象の空調装置に設定する目標温度を決定する機能及び前記温度情報取得手段で取得した前記空間の温度が前記空調装置の制御方向に前記目標温度を超えている場合に、前記空調装置の制御方向とは逆側で目標温度の値を前記空間の温度よりも所定値変化させた値に補正する機能を有する制御計画生成部とを備えていることを特徴とする空調制御装置。
【請求項５】
前記制御計画生成部は、暖房期で、空間の温度の下降に応じて目標温度を下げる方向に補正する際に、制御開始の目標温度若しくは合意形成によって制御が行われたときの最新の目標温度まで下がらないようにする機能を備えていることを特徴とする請求項４記載の空調制御装置。
【発明の詳細な説明】
【技術分野】
【０００１】
本発明は、ビル等の空調環境を制御する空調制御システムに関するものである。
【背景技術】
【０００２】
温暖化による省エネルギーの社会的要求が高まっている。一方、現在施行されているエネルギーの使用の合理化に関する法律（省エネルギー法）では、民生部門に対して、機器単体の性能向上だけでなく、ＢＥＭＳ（ビル・エネルギー・マネジメントシステム）等を利用した管理面での省エネルギーも義務付けている。
【０００３】
しかし、ビル管理の実態として、ビル管理者は必ずしも快適性・エネルギーの観点から適切に運用・管理しているわけではない。特に省エネルギーと快適性が複雑に関係するビル内の空調対象空間（以下居室という）の温度管理に関しては、管理の容易さから慣習的な設定値を盲目的に用い、空調環境を享受する利用者からのクレームにより設定値を変更する場合が一般的である。つまり、建物や利用者の特性を十分に考慮しないまま環境管理を行うため、居室は必ずしも利用者の快適な状態に保持されず、しかも空調エネルギーの無駄が発生する可能性がある。また、利用者はビル管理者の管理する温熱環境下に存在し、自身の環境をコントロールできないことに対して少なからずの不満があると考えられる。
【０００４】
このような設定温度（目標温度）管理がもたらす問題に対して、利用者の温熱環境に対する要求を個人のパーソナルコンピュータ（以下、ＰＣ）端末よりリアルタイムで収集し、それらの収集された結果をもとに、設定温度を決定する方法が検討されている（例えば、特許文献１）。
【０００５】
これらより利用者が要求する温熱環境と設定温度をリアルタイムで関連付け、時々刻々と変化する利用者の特性及び、センサ値と居室域の温度格差等の建物特性に応じて環境を変化させることが可能になっている。
【特許文献１】特開２００４−２０５２０２号公報（段落００５３〜００５６）
【発明の開示】
【発明が解決しようとする課題】
【０００６】
ところで、上述の特許文献１に開示されている利用者の要望に基づいて設定温度を制御する空調制御システムでは、室温と設定温度の一致が前提とされているが、実際の現場では、室温が設定温度に追従できないため、幾ら要望を申告しても空調装置が要望通り動作しない場合もある。
【０００７】
例えば、冬期では暖房しかできない一般の空調装置では、日中の外気温度の上昇や内部発熱の発生に伴い、室温が上昇し、設定温度を大きく超えてしまう場合がある。図１１は設定された目標温度Ｔが２２℃であるのに対して空間の温度が２２℃を大きく上回っている状態を示すが、暖房しかできない空調装置では、「温度を下げたい」と申告しても要望通り動作しないのは当然とし、「温度を上げたい」と申告したとしたしても設定温度が室温に対して影響力を失っているため、期待通りに動作しない。
【０００８】
また図１１のように空間の温度（室温）が例えば１７℃の状態において、目標温度Ｔが２２℃のような場合、運転開始時には室温が目標温度に達していないため、温度を上げたいという要望申告が多発して、目標温度を上げることになるが、空調装置の能力不足や暖房しかできない等といった機械的な制限のため温度が設定温度に追従できない場合もある。この場合も、要望申告が発生したとしても設定温度が温度に対して影響力を失っているため、期待通りに動作しない。  
【０００９】
本発明は、上述の点に鑑みて為されたもので、その目的とするところは、目標温度と空調対象空間の温度とが乖離しないように目標温度を空間の温度の変動に応じて変化させことができる空調制御システム及び空調制御装置を提供することにある。
【課題を解決するための手段】
【００１０】
上述の目的を達成するために、請求項１の空調制御システムの発明では、空調対象の空間の温度を上昇又は下降の一方向のみ制御可能な空調装置と、該空調装置に目標温度を設定する空調制御装置と、前記空間に存在する利用者から要望を入力する入力装置とを備え、前記空調制御装置は、前記空間の温度を温度情報として取得する温度情報取得手段と、前記入力装置から利用者の要望を取得する要望情報取得手段と、前記要望情報から前記目標温度を決定する合意形成を行う制御計画生成部とを備え、前記制御計画生成部は、前記空間の温度が前記空調装置の制御方向に前記目標温度を超えている場合に、前記空間の温度に対して前記目標温度を前記空調装置の制御方向とは逆側で空間の温度方向に近づけるように所定値変化させて補正することを特徴とする。
【００１１】
請求項１の空調制御システムの発明によれば、空間の温度が合意形成によって導出した目標温度を空調装置の制御方向に超えている場合に、前記空調装置の制御方向とは逆側で目標温度の値を前記空間の温度よりも所定値変化させた値に補正することで、設定温度を空間の温度の変動に応じて変化させことができ、そのため、例えば、暖房のみ可能な空調装置を使用している場合において、外気温度の影響などにより空間の温度が空調装置の目標温度を超えるような場合において、利用者の要望が制御に生かせることができる。
【００１２】
請求項２の空調制御システムの発明では、請求項１記載の発明において、前記制御計画生成部は、システム稼働開始時に前記空間の温度が目標温度より制御方向に対して逆側にある場合には、目標温度に達した後に合意形成を開始することを特徴とする。
【００１３】
請求項２の空調制御システムの発明によれば、システム稼働開始時の空間の温度が目標温度とは制御方向とは逆側にあって、目標温度を変更する利用者の要望が増えた場合に生じる空間の温度が制御方向に大きく越えてから目標温度に落ち着くようなオーバーシュートによる不具合を回避することができる。
【００１４】
請求項３の空調制御システムの発明では、請求項１又は２の発明において、運転状況を前記利用者に提示する提示手段を備え、前記空調制御装置は、前記提示手段により合意形成処理中でないことを知らせるフィードバック部を備えていることを特徴とする。
【００１５】
請求項３の空調制御システムの発明によれば、要望が採用されないことによる利用者の不満やシステムに対する不信感を抑えることができる。
【００１６】
請求項４の空調制御装置の発明では、空調対象の空間の温度を温度情報として取得する温度情報として取得する温度情報取得手段と、利用者の空調状態に対する要望情報を取得する要望情報取得手段と、該要望情報取得手段で取得した要望情報に基づいて制御対象の空調装置に設定する目標温度を決定する機能及び前記温度情報取得手段で取得した前記空間の温度が前記空調装置の制御方向に前記目標温度を超えている場合に、前記空調装置の制御方向とは逆側で目標温度の値を前記空間の温度よりも所定値変化させた値に補正する機能を有する制御計画生成部とを備えていることを特徴とする。
【００１７】
請求項４の空調制御装置によれば、空調制御システムに対応し、利用者の要望に応じて空調装置に設定する目標温度を導出し、且つ外気温度の影響などにより空間の温度が空調装置の目標温度から乖離するような場合において、利用者の要望が制御に生かせるように目標温度の補正を行うことができる。
【００１８】
請求項５の空調制御装置では、請求項４の発明において、前記制御計画生成部は、暖房期で、空間の温度の下降に応じて目標温度を下げる方向に補正する際に、制御開始の目標温度若しくは合意形成によって制御が行われたときの最新の目標温度まで下がらないようにする機能を備えていることを特徴とする。
【００１９】
請求項５の空調制御装置によれば、暖房期での目標温度の下げ過ぎによる不快な環境を作り出すことなく、空間の温度の下降に応じて目標温度を適正に補正することができる。
【発明の効果】
【００２０】
空調制御システムに係る発明は、空間の温度が目標温度を空調装置の制御方向に超えている場合に、制御計画生成部が、空調装置の制御方向とは逆方向に目標温度値を前記空間の温度よりも所定値変化させた値とすることで、設定温度を空間の温度の変動に応じて変化させことができ、そのため、例えば、外気温度の影響などにより空間の温度が空調装置の目標温度から乖離するような場合において、利用者の要望が制御に生かせることができる。
【００２１】
空調制御装置に係る発明は、上述の空調制御システムに対応し、利用者の要望に応じて空調装置に設定する目標温度を導出し、且つ外気温度の影響などにより空間の温度が空調装置の目標温度から乖離するような場合において、利用者の要望が制御に生かせるように目標温度の補正を行うことができる。
【発明を実施するための最良の形態】
【００２２】
以下本発明を実施形態により説明する。
【００２３】
図１（ａ）は本発明の空調制御システムをビルの空調制御に用いる場合のシステム構成を示す。
【００２４】
この図示するシステムに用いる空調制御装置１は例えばイーサネット（登録商標）等の規格に対応したＬＡＮ用の通信部１０ａ（図１（ｂ）参照）と、ビル設備制御系の通信部１０ｂ（図１（ｂ）参照）を備えているものを使用し、通信部１０ａを介してビル内のＬＡＮ２に接続されるとともに、通信部１０ｂを介して設備制御系の通信線３に接続される。
【００２５】
ＬＡＮ２には、居室Ｒａ（図２参照）内に備えられるパーソナルコンピュータやＰＤＡ等の個人端末４が接続され、個人端末４に備わったキーボード等の入力デバイスから上述の要望情報を空調制御装置１に送ることができるようになっている。
【００２６】
一方空調制御装置１により設定温度（以下目標温度という）が設定される空調装置５は、例えば図２に示すように居室Ｒａを含む空調対象となる空間＜エリア（Ｉ）又は（II）＞に存在する熱負荷の偏在を無くし、均一な温熱（空調）環境に保つために、エリア（Ｉ）又は（II）に設けられた機械室Ｒｂに設置され、エリア全体の空間の温度を一つの目標温度で制御するもので、暖房期では暖房（温度上昇方向）のみを、また冷房期では冷房（温度下降方向）のみを制御する空調装置から構成される。尚窓際にはファンコイルユニット（図示せず）を設置して温熱環境を制御するようになっている。
【００２７】
各空調装置５は、サブシステムを構成するローカル・コントローラ７、空調Ｉｃｏｎｔ（インテリジェントコントローラ）６を介して通信線３に接続されており、空調Ｉｃｏｎｔ６は、空調制御装置１から目標温度の情報が通信線３を通じて送られてくると、ローカル・コントローラ７を通じて空調装置５に目標温度を設定するようになっている。
【００２８】
また空調装置５の例えば吹き出し口内には当該空調装置５の空調対象となるエリア（Ｉ）又は(II)の空間温度を検知する温度センサ８を設けており、この温度センサ８の検知情報はローカル・コントローラ７に取り込まれ、空調Ｉｃｏｎｔ６から信号線３を介して空調制御装置１に送られるようになっている。
【００２９】
更に居室Ｒａには在室中の利用者の数をカウントするための所在者計数部９を設けてあり、この所在者計数部９のカウント情報もローカル・コントローラ７が取り込み、空調Ｉｃｏｎｔ６から空調制御装置１に信号線３を通じて送るようになっている。尚所在者計数部９としては、出入り口に人体検知手段を設け、居室Ｒａに出入りする人の数をカウントする手段や、稼働中の個人端末４の数等で間接的にカウントする手段等適宜な手段を用いれば良く、特に限定されるものではない。
【００３０】
ここで、個人端末４は、後述する空調制御装置１のサーバ１１のＷｅｂサーバ機能が生成するＷｅｂページを開くためのＷｅｂブラウザを搭載したもので、要望申告用のページやフィードバック情報の提示用のページを閲覧できるようになっており、要望申告用のページから利用者が要望を入力することができる入力装置を構成している。
【００３１】
空調制御装置１は、図１（ｂ）に示すように上述の通信部１０ａ、１０ｂと、Ｗｅｂページを通じて個人端末４で入力される利用者の要望情報を取得する要望情報取得部１１ａ及び個人端末４にＷｅｂページを通じて運転状況通知を表示させるためのフィードバック部１１ｂを機能として備えたサーバ１１と、温度センサ８が検知する空間温度の温度情報を取得する温度情報取得部１２と、両取得部１１ａ，１２の取得情報に基づいて後述する処理を行って、空調装置１の設定温度たる目標温度の導出及び補正を行う制御計画生成部１３と、予め個人端末４に付与されているＩＰアドレスと各個人端末４の利用者（居室者）の個人情報及び設置場所とを関係付けてデータベースとして格納するとともに、諸データの保存に用いる記憶部１４とで構成される。
【００３２】
サーバ１１は、要望情報の取得のためのＷｅｂページや後述する運転状況通知用のＷｅｂページを生成し、ＬＡＮ２を通じてこれらＷｅｂページを個人端末４で提示できるようになっており、要望情報取得部１１ａは、要望情報の入力のためのＷｅｂページを介して要望情報を取得するとともに、当該要望を申告した利用者を、発信した個人端末４のＩＰアドレスと前記記憶部１４に格納しているデータベースのデータとを照合して特定し、発信時刻及びその場所とともに記憶部１４に後述するように利用者個人毎に制御有効データとして記憶させる機能とを備えている。
【００３３】
温度情報取得部１２は、通信部１０ｂを通じて各空調装置５に設置された温度センサ８から空間温度の情報を取得する機能を備えている。
【００３４】
制御計画生成部１３は、記憶部１４に記憶される後述の制御有効データから一定時間毎に要望情報を集計し、その集計した要望情報数と、所在者計数部９で計数した空調対象エリア内に実際に存在する利用者総数とから利用者総数に対する要望率を演算し、求めた要望率と合意形成を行うロジックに基づいて空調装置５の目標温度を決定する処理と、空調装置５で設定している目標温度と、温度情報取得部１２を介して取得する温度センサ８の検知温度とを比較して目標温度に対して空間温度が一定範囲外、つまり乖離が許容されない範囲外の場合つまり乖離が大きい場合には、空調装置５で設定している目標温度の値を後述するように変更（補正）する機能を備えている。
【００３５】
次に本発明の空調制御システムの動作を実施形態に基づいて説明する。
【００３６】
まず、利用者は、個人端末２のディスプレイ画面に表示させた図３に示すＷｅｂページによる入力画面において、要望入力事項として表示されている「温度を上げてほしい」、「どちらでもない」、「温度を下げてほしい」の何れかのチェック欄Ｃ１、Ｃ２、Ｃ３をチェックすると、その時点での当該利用者の要求として個人端末４からＬＡＮ２を通じて空調制御装置１の要望情報取得部１１ａへ情報がアップロードされる。つまり温熱環境に対する要望を利用者は任意申告することができるのである。
【００３７】
ここで、実際の運用において、単に要望事項のみを空調制御装置１側で取得することが適切な場合と、より詳細に状態を分析するために、利用者の感じていることを詳細に問う必要が生じる場合とがあり、図３は、後者のための入力画面を示しており、ここでは、環境制御に重要となる寒暖感（温度感覚）と、それに伴う快適感の選択用チェック欄Ｃ１０〜Ｃ１６，Ｃ２０〜Ｃ２６を夫々設けて、利用者自身が感じる寒暖感や快適感をチェックして入力することができるようになっている。
【００３８】
さて、上述の入力画面により任意申告された要望情報は、申告がある度に空調制御装置１のサーバ１１内の要望情報取得部１１ａに取り込まれ、要望情報取得部１１ａは、１分間隔で要望情報の申告内容をチェックして制御有効データを各利用者毎に生成するようになっている。
【００３９】
表１は例えば時刻９：５８から時刻１１：０５の間におけるＡ乃至Ｄの各利用者の要望申告の入力状況をまとめた表であって、表中「温度を上げてほしい」という要望を”１”とし、「どちらでもない」という要望を”０”とし、「温度を下げてほしい」という要望を”−１”と表記している。
【００４０】
【表１】
2008075993.tif 000003
【００４１】
この表１では利用者Ａは９：５８に「温度を上げてほしい」という要望を申告し、その後１１：００に再度「温度を上げてほしい」と申告している。また利用者Ｂは９：５９に「温度を下げてほしい」という要望を申告し、その後１０：０３と、１０：５７とに「温度を上げてほしい」と申告している。利用者Ｃは１０：０１に「どちらでもない」という要望を申告し、その後１１：０２に「温度を上げてほしい」と申告している。更に利用者Ｄは１０：０１と、１０：５７と、１１：０３に「温度を下げてほしい」という要望を夫々申告していることを示している。
【００４２】
要望情報取得部１１ａは申告に併せて１分毎に申告チェックを行い、ある時点で要望申告があってから、１分毎に新たな要望申告があるか、ないかをチェックし、新たな要望申告がなければ、先の要望申告の内容を制御有効データとして生成し、そして１時間経過までに、新たな要望申告がなければ、先の要望申告をリセットするようになっている。また１時間経過するまでに新たな要望申告があれば、当該要望申告に基づいて上述と同様に制御有効データを１分経過毎に生成する処理を行う。この処理は所定のタイミング（例えば一定時間経過後或いは次の正時）まで行われ、該所定のタイミングで制御計画生成部１３による合意形成のロジックを用いた処理によって新たな目標温度が決定されると、この決定に要望申告が採用された場合にはそれまでの最新の要望申告がリセットされ、未採用の場合には最新の要望申告が維持される。また合意形成の処理から例えば２０分間経過するまでは、新たな申告を受け付けるが、制御はしないようになっている。表２はこのような制御有効データの処理結果を表形式で表したものであり、この場合１１：００の合意形成処理では”１”つまり「温度を上げてほしい」が採用されている。
【００４３】
【表２】
2008075993.tif 000004
【００４４】
図４は上述の利用者Ａ〜Ｄの申告と、合意形成により決定された目標温度による空調制御の時系列的な流れを示しており、図示において□は申告のタイミングを示し、△は合意形成による目標温度の導出のタイミングを示している。この図４に示すように例えばｔ１のタイミングで目標温度の変更した後一定時間は申告を無視し、安定後においては短いサイクル（図ではｔ２）で申告内容の集計を行うとともに要望率の算出を行い、この算出した要望率を用いて合意形成のロジックにより新たな目標温度を決定し、この決定した目標温度によって空調制御を行っている様子を示している。ｔ３はタイミングｔ２における温度変更から安定期を経た後の申告集計のタイミングを示す。
【００４５】
ここで、例えば表２に示す制御有効データに基づいて１１：００での目標温度を決定する制御計画生成部１３での処理について図５（ａ）のフローチャートに基づいて説明する。まず１１：００では利用者Ａ〜Ｃの申告内容が”１”、つまり「温度を上げたい」であるのに対して、利用者Ｄの申告内容が”−１”、つまり「温度を下げたい」であり、ここで利用者総数が４名であるとすると、制御計画生成部１３がフローチャートのＳ１で算出する要望率は、「温度を上げたい」では、３／４＝７５％となり、「温度を上げたい」では、１／４＝２５％となる。この要望率と、図５（ｂ）に示す判定基準の領域とに基づいたロジックにより目標温度を決定する。つまり条件に適合する領域の決定をフローチャートＳ２で行い、図５（ｂ）の判定基準に上述の算出した要望率をプロットし、そのプロットする位置が□の範囲の場合には現在の目標温度Ｔを維持し、▽の場合には、現在の目標温度Ｔから所定値（例えばΔｔ＝０．５℃）下げた温度を新たな目標温度Ｔとし、△の範囲内にあれば、現在の目標温度（設定温度）Ｔから所定値（例えばΔｔ＝０．５℃）上げた温度を新たな目標温度Ｔとする（Ｓ３１〜Ｓ３３）。このプロットによって目標温度Ｔが決定する（Ｓ４）。さてここで目標温度Ｔが決定されると、この決定した目標温度Ｔを空調装置３に空調Ｉｃｏｎｔ６及びローカル・コントローラ７を通じて設定するための処理を行う。
【００４６】
次に上述のような合意形成適用した本実施形態のシステム全体の例えば暖房期における動作を図６のフローチャートに基づいて説明する。
【００４７】
まずシステムがスタートすると制御計画生成部１３は、温度情報取得部１２の検知温度の情報を取得し（Ｓ１０）、この取得後、空調Ｉｃｏｎｔ６からの空調装置５の運転状況を示す情報とから空調設備５が運転開始状態且つ温度情報取得部１２が取得する空間温度Ｔａが設定されている目標温度Ｔに達していないかどうかをチェックする(Ｓ１１）。
【００４８】
制御開始時で空間温度Ｔａが目標温度Ｔに達していない場合、つまり制御によって目標温度Ｔより空間温度Ｔａが低い間では、新たな要望申告を受け付けず、それに関する状況と理由をサーバ１１のフィードバック部１１ｂにフィードバックし、空間温度が目標温度に達するまでフィードバックの情報更新を行う（Ｓ１２）。
【００４９】
暖房期（或いは冷房期）では、空調装置５の運転を開始したときに、空間温度Ｔａが目標温度Ｔまで達しておらず、利用者が不快に感じ、要望申告が集中する場合がある。そのため空調装置５の運転開始から、空間温度Ｔａが目標温度Ｔに対して所定位置以内に達するまで、要望申告を制御に採用しないのである。空間温度Ｔａが目標温度Ｔに達しているかどうかの判定を行う場合に、空調装置５を１００％の能力で運転しているか否かで判定することもできる。
【００５０】
Ｓ１２でのフィードバックの情報更新は、サーバ１１内のフィードバック部１１ｂがＷｅｂページを通じて各個人端末４の表示画面に図７に示すような状況と理由を提示する。図示例では「現在、部屋を暖めております。しばらくお待ちください」というメッセージＭを表示することで、運転状況を利用者に提示している。尚この画面ではメッセージＭの下方において、現在の申告状況等の情報表示する。左側には要望申告の入力画面等の画面選択ボタンＢＴ１…が設けられ、画面切り替えができるようになっている。尚省エネ量や省エネ率の演算機能が備わっている場合には、これらをメッセージＭの下方で表示しても良く、図７ではこの場合の表示状態を示す。
【００５１】
さて、Ｓ１１で空間温度Ｔａが目標温度Ｔに達すると、制御計画生成部１３は、空間温度Ｔａと目標温度Ｔとの間に温度差があるかをチェックする（Ｓ１３）。
【００５２】
この場合空間温度Ｔａが空調装置５の制御方向（上昇方向）に目標温度Ｔを超えているか否かをチェックする。つまり、日中の外気温度の上昇や内部発熱の発生に伴い空調対処の空間温度Ｔａが上昇し、目標温度Ｔを大きく超えてしまう場合があるが、暖房しかできない空調装置５を使用していると、「温度を下げたい」として申告しても機械的な制約上、要望通り動作しないのは当然であるが、「温度を上げたい」と申告したとしても目標温度Ｔが空間温度Ｔａに対して影響力を失っているため、期待通りに動作しないという問題が生じる（図８（ａ））。
【００５３】
そこで本発明の空調制御システムでは、Ｓ１３でのチェックによって空間温度Ｔａが空調装置５の制御方向に目標温度Ｔを超えている場合（暖房においては空間温度Ｔａが目標温度Ｔよりも高い場合）、目標温度Ｔを補正する処理を行う（Ｓ１４）。この場合、空間温度Ｔａに対して制御方向とは逆側で目標温度Ｔを追従させる方向に補正する。
【００５４】
例えば暖房中に、温度センサ８が検知する空間温度Ｔａが目標温度Ｔより図８（ｂ）に示すようにα℃（例えば１．０℃）以上連続的に高くなった場合に、目標温度Ｔを所定値（例えば０．５℃）だけ、空間温度Ｔａに近づけることで、温度差を一定範囲に収めることができ、「温度を上げてほしい」といった要望の申告が多く発生しても目標温度Ｔを上げることで、暖房を期待通りできることになる。
【００５５】
さて、Ｓ１２で目標温度Ｔと空間温度Ｔａの温度差が一定範囲内にあるか、上述のＳ１３での目標温度Ｔの補正が終了すると、個人端末４からの要望情報（感覚情報をも含む）の取得処理を行い（Ｓ１５）、この取得した要望情報から表２に示す制御用有効データの抽出（Ｓ１６）を行って、該制御用有効データから要望率を算出し、この要望率を元に合意形成ロジックによる処理を行う（Ｓ１７）。つまり、要望申告に基づいて新たな目標温度Ｔ（目標温度Ｔ＝目標温度Ｔ±Δｔ）を図５（ｂ）から求め、更に求めた目標温度Ｔが制御範囲の下限値と上限値の間にあるか否かをチェックする（Ｓ１８）。
【００５６】
このチェックで範囲内であれば、当該目標温度Ｔを新しい目標温度Ｔとして決定する。一方、上限値を越えるか或いは下限値を下回る場合には、上限値或いは下限値を目標温度Ｔとして決定する。
【００５７】
この目標温度Ｔの決定後、制御計画生成部１３は、フィードバック部１１ｂに渡すフィードバック情報を更新し（Ｓ１９）、この後、決定した目標温度Ｔの情報を通信部１０ｂから信号線３を介して空調Ｉｃｏｎｔ６へ送信し、ローカル・コントローラ７を通じて空調装置５に新しい目標温度として設定させる処理を行い（Ｓ２０）、この処理後Ｓ１に戻って以後システムの運転が停止されるまで、上述の動作を繰り返す。
【００５８】
ところで、上述した目標温度Ｔを空間温度Ｔａに追従する方法は、上述したように空間温度Ｔａに対して目標温度Ｔがα℃離れたら目標温度Ｔを空間温度Ｔａに所定値近づける方法であったが、リニアに追従させることもできる。例えば、目標温度Ｔが２４℃であって、この目標温度Ｔに対して空間温度が２５．２℃になった場合、α℃（＝１．０℃）を保つため、目標温度Ｔを０．２℃上昇させる補正を行うこともできる。
【００５９】
また、目標温度Ｔを空間温度Ｔａに追従させるタイミングを、空間温度Ｔａが目標温度Ｔに対してα℃離れた場合だけでなく、空調装置５が暖房を停止して送風運転を開始した場合でも同様の効果を得ることができる。
【００６０】
更に、本実施形態では、定期的に目標温度Ｔの決定と、目標温度Ｔと空間温度Ｔａの乖離の検知を行い、目標温度Ｔを空間温度Ｔａに追従させるように補正を行っているが、該補正するタイミングについて、例えば暖房下において、”温度を上げる”と合意形成ロジックで決定された場合のみに、目標温度Ｔの補正を行うようにしても良い。
【００６１】
目標温度Ｔ＝空間温度Ｔａ＋γ（例えば０．５℃）
図９はこの場合の補正事例を示しており、図示するように目標温度Ｔに対して空間温度Ｔａが越えている状態において、「温度を上げてほしい」という要望が採用されるタイミングで目標温度Ｔを上記式に基づいて補正するのである。
【００６２】
更に、夜間では、外気温度が下がってくると、多少の時間遅れを生じながら空間温度Ｔａも図１０に示すように下がってくる場合が多い。この場合は空間温度Ｔａに対してα℃だけ低くなるように目標温度Ｔを補正する必要がある。具体的には空間温度Ｔａが設定温度Ｔ＋α℃以下になるのを連続的に検知した場合、所定値だけ目標温度Ｔを低くする補正（図１０の破線）を行う。但し、下がっていく空間温度Ｔａに合わせて、目標温度Ｔを下げる場合において、目標温度Ｔを下げ過ぎると、不快な環境になってしまう懸念がある。この対策として、制御開始の目標温度Ｔ若しくは合意形成によって制御が行われたときの最新の目標温度Ｔまで下がらないようにする。
【００６３】
ところで、上述の補正の事例は暖房の場合であったが、冷房時においても同様に機能する。特に、冷房負荷が小さくなる中間期に有効に機能する。また冷房期ではピーク時に冷房能力が足りないため、空間温度Ｔａが目標温度Ｔに対して追従することができない場合がある。この場合目標温度Ｔを空間温度Ｔａから乖離させないようにするために、「温度を下げてほしい」という要望申告を目標温度設定に利用しないようする。これにより空間温度Ｔａに対する目標温度Ｔの影響を保持することができる。
【図面の簡単な説明】
【００６４】
【図１】（ａ）は一実施形態の概略システム構成図、（ｂ）は一実施形態に用いる空調制御装置の構成図である。
【図２】一実施形態を用いたビル内の空調対象のエリアの構成図である。
【図３】一実施形態に用いる個人端末での要望申告の入力画面例である。
【図４】一実施形態における利用者の要望申告による合意形成と制御のタイミングチャートである。
【図５】（ａ）は一実施形態の空調制御装置の制御計画生成部の動作説明用フローチャート、（ｂ）は合意形成のロジックの説明図である。
【図６】一実施形態の動作説明用フローチャートである。
【図７】一実施形態のフィードバック情報の表示例図である。
【図８】（ａ）は設定温度を空間温度に追従させる補正を行わない場合の設定温度と空間温度の関係説明図、（ｂ）は一実施形態において、設定温度を空間温度に追従させる補正を行った場合の一例の設定温度と空間温度の関係説明図である。
【図９】一実施形態において、設定温度を空間温度に追従させる補正を行った場合の別の例の設定温度と空間温度の関係説明図である。
【図１０】一実施形態において、設定温度を空間温度に追従させる補正を行った場合の他のの例の設定温度と空間温度の関係説明図である。
【図１１】従来の課題説明図である。
【符号の説明】
【００６５】
１  空調制御装置
１０ａ、１０ｂ  通信部
１１  サーバ
１１ａ  要望情報取得部
１１ｂ  フィードバック部
１２  温度情報取得部
１３  制御計画生成部
１４  記憶部
２  ＬＡＮ
３  信号線
４  個人端末
５  空調装置
６  空調Ｉｃｏｎｔ
７  ローカル・コントローラ
８  温度センサ
９  所在者計数部
【図１】
2008075993.tif 000005
【図２】
2008075993.tif 000006
【図４】
2008075993.tif 000007
【図５】
2008075993.tif 000008
【図６】
2008075993.tif 000009
【図８】
2008075993.tif 000010
【図９】
2008075993.tif 000011
【図１０】
2008075993.tif 000012
【図１１】
2008075993.tif 000013
【図３】
2008075993.tif 000014
【図７】
2008075993.tif 000015